(57)【特許請求の範囲】
【請求項１】
ファスナーテープ（２０）と、
前記ファスナーテープのテープ側縁部（２０ａ）の一方面に設けられ、複数のファスナーエレメント（３１）を有する第１ファスナーエレメント列（３０Ａ）と、
前記ファスナーテープの前記テープ側縁部の他方面に設けられ、複数のファスナーエレメントを有する第２ファスナーエレメント列（３０Ｂ）と、を備えるファスナーストリンガー（１１）であって、
前記第１及び前記第２ファスナーエレメント列は、合成樹脂製のモノフィラメントを一定方向に巻回すことにより形成されるコイル状のファスナーエレメント列であり、
前記ファスナーエレメントは、噛合頭部（３１ａ）と、前記噛合頭部の上端部から前記ファスナーテープの幅方向外側に延びる上脚部（３１ｂ）と、前記噛合頭部の下端部から前記ファスナーテープの幅方向外側に延び、前記ファスナーテープと接触する下脚部（３１ｃ）と、前記上脚部の幅方向外端部と隣り合う前記ファスナーエレメントの下脚部の幅方向外端部とを連結する連結部（３１ｄ）と、を備え、
前記第１及び前記第２ファスナーエレメント列の前記ファスナーエレメントは、前記ファスナーテープに縫い糸（３３）を貫通させて、二重環縫いによって前記ファスナーテープに縫い付けられ、
前記第１及び前記第２ファスナーエレメント列の前記ファスナーエレメントには、前記上脚部に、前記下脚部側にへこみ、前記下脚部と反対の側に突出することなく前記連結部に向かって延在する段差部（３１ｅ）がそれぞれ設けられ、
前記縫い糸が、前記ファスナーエレメントの前記段差部内に配置され、
前記縫い糸が、前記第１ファスナーエレメント列を前記テープ側縁部の前記一方面に縫い付ける第１糸（３３ａ）と、前記第２ファスナーエレメント列を前記テープ側縁部の前記他方面に縫い付ける第２糸（３３ｂ）と、を含み、
前記第１及び前記第２ファスナーエレメント列は、内部に芯紐（３２）がそれぞれ挿通され、
前記第１ファスナーエレメント列の前記段差部及び前記芯紐は、前記第１糸により縫着され、
前記第２ファスナーエレメント列の前記段差部及び前記芯紐は、前記第２糸による縫着され、
これにより、第１及び第２ファスナーエレメント列は、前記第１及び第２糸により前記ファスナーテープに一度の縫着で縫い付けられ、
前記第１及び前記第２ファスナーエレメント列の前記ファスナーエレメントの前記連結部が、前記ファスナーテープの長手方向に対して傾斜するように形成され、
前記連結部は、前記下脚部側から前記上脚部側に向かって前記ファスナーテープから離れる方向に傾斜するとともに、側面視において、前記ファスナーテープの表裏両面側で略ハの字状に配置されていることを特徴とするファスナーストリンガー。
【請求項２】
前記ファスナーストリンガー（１１）の一方面と他方面を識別する識別手段（３３，３３ａ，３３ｂ，２１，３４，２２）を備えることを特徴とする請求項１に記載のファスナーストリンガー。
【請求項３】
前記識別手段は、前記第１及び前記第２ファスナーエレメント列（３０Ａ，３０Ｂ）の前記ファスナーエレメント（３１）の前記上脚部（３１ｂ）を跨ぐ前記縫い糸（３３）の本数の違い、又は、前記縫い糸の色の違いであることを特徴とする請求項２に記載のファスナーストリンガー。
【請求項４】
前記識別手段は、前記ファスナーテープ（２０）の一方面又は他方面に設けられるシート部材（２１）であることを特徴とする請求項２に記載のファスナーストリンガー。
【請求項５】
前記識別手段は、前記第１又は前記第２ファスナーエレメント列（３０Ａ，３０Ｂ）の前記ファスナーエレメント（３１）に施されるメッキ層（３４）であることを特徴とする請求項２に記載のファスナーストリンガー。
【請求項６】
前記識別手段は、前記ファスナーテープ（２０）の一方面又は他方面に塗布されるインク（２２）であることを特徴とする請求項２に記載のファスナーストリンガー。
【請求項７】
一対のファスナーテープ（２０）と、
前記一対のファスナーテープの対向するテープ側縁部（２０ａ）の一方面にそれぞれ設けられ、複数のファスナーエレメント（３１）を有する一対の第１ファスナーエレメント列（３０Ａ）と、
前記一対のファスナーテープの対向する前記テープ側縁部の他方面にそれぞれ設けられ、複数のファスナーエレメントを有する一対の第２ファスナーエレメント列（３０Ｂ）と、を備える一対のファスナーストリンガー（１１）と、
前記一対の第１ファスナーエレメント列及び前記一対の第２ファスナーエレメント列を噛合・分離させる一対のスライダー（６０）と、を備えるカバン用スライドファスナー（５０）であって、
前記第１及び前記第２ファスナーエレメント列は、合成樹脂製のモノフィラメントを一定方向に巻回すことにより形成されるコイル状のファスナーエレメント列であり、
前記ファスナーエレメントは、噛合頭部（３１ａ）と、前記噛合頭部の上端部から前記ファスナーテープの幅方向外側に延びる上脚部（３１ｂ）と、前記噛合頭部の下端部から前記ファスナーテープの幅方向外側に延び、前記ファスナーテープと接触する下脚部（３１ｃ）と、前記上脚部の幅方向外端部と隣り合う前記ファスナーエレメントの下脚部の幅方向外端部とを連結する連結部（３１ｄ）と、を備え、
前記第１及び前記第２ファスナーエレメント列の前記ファスナーエレメントは、前記ファスナーテープに縫い糸（３３）を貫通させて、二重環縫いによって前記ファスナーテープに縫い付けられ、
前記第１及び前記第２ファスナーエレメント列の前記ファスナーエレメントには、前記上脚部に、前記下脚部側にへこみ、前記下脚部と反対の側に突出することなく前記連結部に向かって延在する段差部（３１ｅ）がそれぞれ設けられ、
前記縫い糸が、前記ファスナーエレメントの前記段差部内に配置され、
前記縫い糸が、前記第１ファスナーエレメント列を前記テープ側縁部の前記一方面に縫い付ける第１糸（３３ａ）と、前記第２ファスナーエレメント列を前記テープ側縁部の前記他方面に縫い付ける第２糸（３３ｂ）と、を含み、
前記第１及び前記第２ファスナーエレメント列は、内部に芯紐（３２）がそれぞれ挿通され、
前記第１ファスナーエレメント列の前記段差部及び前記芯紐は、前記第１糸により縫着され、
前記第２ファスナーエレメント列の前記段差部及び前記芯紐は、前記第２糸による縫着され、
これにより、第１及び第２ファスナーエレメント列は、前記第１及び第２糸により前記ファスナーテープに一度の縫着で縫い付けられ、
前記第１及び前記第２ファスナーエレメント列の前記ファスナーエレメントの前記連結部が、前記ファスナーテープの長手方向に対して傾斜するように形成され、
前記連結部は、前記下脚部側から前記上脚部側に向かって前記ファスナーテープから離れる方向に傾斜するとともに、側面視において、前記ファスナーテープの表裏両面側で略ハの字状に配置され、
前記スライダーが、引手取付部（４５）及び鍵用孔部（４８）を有することを特徴とするカバン用スライドファスナー。
【請求項８】
スライドファスナーにより開閉されるカバン（７０）であって、
前記スライドファスナーとして、請求項７に記載のカバン用スライドファスナー（５０）を使用することを特徴とするカバン。
【発明の詳細な説明】
【技術分野】
【０００１】
この発明は、ファスナーストリンガー、カバン用スライドファスナー、及びカバンに関する。
【背景技術】
【０００２】
まず、旅行カバンでは、カバンの開閉にコイル状のファスナーエレメントを備えるスライドファスナーが使用されている。しかし、盗難時に尖った先の鋭い金属でファスナーエレメントが突かれると、ファスナーエレメントが破損し、エレメント同士の係合が外れて、カバンの中身が盗まれてしまう。
【０００３】
そして、上記したファスナーエレメントの破損を防止するための従来のスライドファスナーとしては、互いに重ね合わせられた外側スライドファスナー及び内側スライドファスナーを備え、外側及び内側スライドファスナーのファスナーエレメント及びファスナーテープを、スライドファスナーの左右方向（幅方向）にオフセットさせて配置するものが知られている（例えば、特許文献１参照）。
【０００４】
また、従来の他のスライドファスナーとしては、ファスナーテープのテープ側縁部の表裏両面にコイル状のファスナーエレメントをそれぞれ取り付けたものが知られている（例えば、特許文献２参照）。
【先行技術文献】
【特許文献】
【０００５】
【特許文献１】米国特許出願公開第２０１０／０２６９３１１号明細書
【特許文献２】米国特許第４，６０１，０８５号明細書
【発明の概要】
【発明が解決しようとする課題】
【０００６】
しかしながら、上記特許文献１に記載のスライドファスナーでは、外側及び内側スライドファスナーを、カバンなどの被着物に縫い付ける時に、外側及び内側スライドファスナーを、オフセットさせて位置決めするため、その作業に手間が掛かり、製造コストが増大する可能性があった。
【０００７】
また、上記特許文献２に記載のスライドファスナーでは、ファスナーエレメントをファスナーテープに縫い付ける縫い糸が、コイル状のファスナーエレメントの上脚部よりも外側に配置されるため、この縫い糸が、スライダーなどとの接触により摩耗する可能性があった。
【０００８】
本発明は、前述した課題に鑑みてなされたものであり、その目的は、先の鋭い金属によるファスナーエレメントの破損を防止することができ、ファスナーエレメントをファスナーテープに縫い付ける縫い糸の摩耗を防止することができ、スライドファスナーを被着物に容易に取り付けることができるファスナーストリンガー、カバン用スライドファスナー、及びカバンを提供することにある。
【課題を解決するための手段】
【０００９】
本発明の上記目的は、下記の構成により達成される。
（１）ファスナーテープと、ファスナーテープのテープ側縁部の一方面に設けられ、複数のファスナーエレメントを有する第１ファスナーエレメント列と、ファスナーテープのテープ側縁部の他方面に設けられ、複数のファスナーエレメントを有する第２ファスナーエレメント列と、を備えるファスナーストリンガーであって、第１及び第２ファスナーエレメント列は、合成樹脂製のモノフィラメントを一定方向に巻回すことにより形成されるコイル状のファスナーエレメント列であり、ファスナーエレメントは、噛合頭部と、噛合頭部の上端部からファスナーテープの幅方向外側に延びる上脚部と、噛合頭部の下端部からファスナーテープの幅方向外側に延び、ファスナーテープと接触する下脚部と、上脚部の幅方向外端部と隣り合うファスナーエレメントの下脚部の幅方向外端部とを連結する連結部と、を備え、第１及び第２ファスナーエレメント列のファスナーエレメントは、ファスナーテープに縫い糸を貫通させて、二重環縫いによってファスナーテープに縫い付けられ、第１及び第２ファスナーエレメント列のファスナーエレメントには、上脚部に、下脚部側にへこみ、前記下脚部と反対の側に突出することなく前記連結部に向かって延在する段差部がそれぞれ設けられ、縫い糸が、ファスナーエレメントの段差部内に配置され、縫い糸が、第１ファスナーエレメント列をテープ側縁部の一方面に縫い付ける第１糸と、第２ファスナーエレメント列をテープ側縁部の他方面に縫い付ける第２糸と、を含み、第１及び第２ファスナーエレメント列は、内部に芯紐がそれぞれ挿通され、第１ファスナーエレメント列の段差部及び芯紐は、第１糸により縫着され、第２ファスナーエレメント列の段差部及び芯紐は、第２糸による縫着され、これにより、第１及び第２ファスナーエレメント列は、第１及び第２糸によりファスナーテープに一度の縫着で縫い付けられ、第１及び第２ファスナーエレメント列のファスナーエレメントの連結部が、ファスナーテープの長手方向に対して傾斜するように形成され、連結部は、下脚部側から上脚部側に向かってファスナーテープから離れる方向に傾斜するとともに、側面視において、ファスナーテープの表裏両面側で略ハの字状に配置されていることを特徴とするファスナーストリンガー。
（２）ファスナーストリンガーの一方面と他方面を識別する識別手段を備えることを特徴とする（１）に記載のファスナーストリンガー。
（３）識別手段は、第１及び第２ファスナーエレメント列のファスナーエレメントの上脚部を跨ぐ縫い糸の本数の違い、又は、縫い糸の色の違いであることを特徴とする（２）に記載のファスナーストリンガー。
（４）識別手段は、ファスナーテープの一方面又は他方面に設けられるシート部材であることを特徴とする（２）に記載のファスナーストリンガー。
（５）識別手段は、第１又は第２ファスナーエレメント列のファスナーエレメントに施されるメッキ層であることを特徴とする（２）に記載のファスナーストリンガー。
（６）識別手段は、ファスナーテープの一方面又は他方面に塗布されるインクであることを特徴とする（２）に記載のファスナーストリンガー。
（７）一対のファスナーテープと、一対のファスナーテープの対向するテープ側縁部の一方面にそれぞれ設けられ、複数のファスナーエレメントを有する一対の第１ファスナーエレメント列と、一対のファスナーテープの対向するテープ側縁部の他方面にそれぞれ設けられ、複数のファスナーエレメントを有する一対の第２ファスナーエレメント列と、を備える一対のファスナーストリンガーと、一対の第１ファスナーエレメント列及び一対の第２ファスナーエレメント列を噛合・分離させる一対のスライダーと、を備えるカバン用スライドファスナーであって、第１及び第２ファスナーエレメント列は、合成樹脂製のモノフィラメントを一定方向に巻回すことにより形成されるコイル状のファスナーエレメント列であり、ファスナーエレメントは、噛合頭部と、噛合頭部の上端部からファスナーテープの幅方向外側に延びる上脚部と、噛合頭部の下端部からファスナーテープの幅方向外側に延び、ファスナーテープと接触する下脚部と、上脚部の幅方向外端部と隣り合うファスナーエレメントの下脚部の幅方向外端部とを連結する連結部と、を備え、第１及び第２ファスナーエレメント列のファスナーエレメントは、ファスナーテープに縫い糸を貫通させて、二重環縫いによってファスナーテープに縫い付けられ、第１及び第２ファスナーエレメント列のファスナーエレメントには、上脚部に、下脚部側にへこみ、前記下脚部と反対の側に突出することなく前記連結部に向かって延在する段差部がそれぞれ設けられ、縫い糸が、ファスナーエレメントの段差部内に配置され、縫い糸が、第１ファスナーエレメント列をテープ側縁部の一方面に縫い付ける第１糸と、第２ファスナーエレメント列をテープ側縁部の他方面に縫い付ける第２糸と、を含み、第１及び第２ファスナーエレメント列は、内部に芯紐がそれぞれ挿通され、第１ファスナーエレメント列の段差部及び芯紐は、第１糸により縫着され、第２ファスナーエレメント列の段差部及び芯紐は、第２糸による縫着され、これにより、第１及び第２ファスナーエレメント列は、第１及び第２糸によりファスナーテープに一度の縫着で縫い付けられ、第１及び第２ファスナーエレメント列のファスナーエレメントの連結部が、ファスナーテープの長手方向に対して傾斜するように形成され、連結部は、下脚部側から上脚部側に向かってファスナーテープから離れる方向に傾斜するとともに、側面視において、ファスナーテープの表裏両面側で略ハの字状に配置され、スライダーが、引手取付部及び鍵用孔部を有することを特徴とするカバン用スライドファスナー。
（８）スライドファスナーにより開閉されるカバンであって、スライドファスナーとして、（７）に記載のカバン用スライドファスナーを使用することを特徴とするカバン。
【発明の効果】
【００１０】
本発明によれば、ファスナーテープと、ファスナーテープのテープ側縁部の一方面に設けられ、複数のファスナーエレメントを有する第１ファスナーエレメント列と、ファスナーテープのテープ側縁部の他方面に設けられ、複数のファスナーエレメントを有する第２ファスナーエレメント列と、を備えるため、先の鋭い金属によるファスナーエレメントの破損を防止することができる。
【００１１】
また、本発明によれば、第１及び第２ファスナーエレメント列の少なくとも一方のファスナーエレメントには、上脚部に、下脚部側にへこむ段差部が設けられ、第１及び第２ファスナーエレメント列をファスナーテープに縫い付ける縫い糸が、ファスナーエレメントの段差部内に配置されるため、縫い糸の摩耗を防止することができる。
また、本発明によれば、例え、第２ファスナーエレメント列の第２糸が摩耗や刃物により切断されたとしても、第１ファスナーエレメント列及び第１糸がファスナーテープから離間するのを防止することができる。これにより、ファスナーテープから第１ファスナーエレメント列が外れてしまうのをより確実に防ぐことができる。
【００１２】
また、本発明によれば、１枚のファスナーテープのテープ側縁部の一方面及び他方面に、第１及び第２ファスナーエレメント列をそれぞれ設けるため、従来のように２枚のスライドファスナーをオフセットさせて位置決めする必要がなく、スライドファスナーを被着物に容易に取り付けることができる。
【００１３】
また、本発明によれば、ファスナーストリンガーの一方面と他方面を識別する識別手段を備えるため、ファスナーストリンガーの一方面と他方面を容易に識別することができ、スライドファスナーを被着物に容易に取り付けることができる。
【図面の簡単な説明】
【００１４】
【図１】本発明に係るファスナーストリンガーが使用されたスライドファスナーの一実施形態を説明する表面図である。
【図２】図１に示すスライドファスナーの断面図である。
【図３】図１に示すスライドファスナーのスライダーの周辺の側面図である。
【図４】左右一対の表側及び裏側ファスナーエレメント列が噛合した状態の左右一対のファスナーストリンガーを説明する断面図である。
【図５】左右一対の表側及び裏側ファスナーエレメント列が噛合した状態の左右一対のファスナーストリンガーを説明する表面図である。
【図６】左右一対の表側及び裏側ファスナーエレメント列が噛合した状態の左右一対のファスナーストリンガーを説明する裏面図である。
【図７】左右一対の表側及び裏側ファスナーエレメント列が分離した状態の左右一対のファスナーストリンガーを説明する表面図である。
【図８】縫着前の表側及び裏側ファスナーエレメント列とファスナーテープを説明する断面図である。
【図９】本発明に係るファスナーストリンガーの第１変形例を説明する図４に対応する断面図である。
【図１０】本発明に係るファスナーストリンガーの第２変形例を説明する図８に対応する断面図である。
【図１１】本発明に係るファスナーストリンガーの第３変形例を説明する図８に対応する断面図である。
【図１２】本発明に係るファスナーストリンガーの第４変形例を説明する図８に対応する断面図である。
【図１３】本発明に係るファスナーストリンガーの第５変形例を説明する図５に対応する表面図である。
【図１４】本発明に係るファスナーストリンガーの第６変形例を説明する図６に対応する裏面図である。
【図１５】本発明に係るファスナーストリンガーの第７変形例を説明する図５に対応する表面図である。
【図１６】本発明に係るファスナーストリンガーの第８変形例を説明する図６に対応する裏面図である。
【図１７】本発明に係るカバン用スライドファスナーの一実施形態を説明する表面図である。
【図１８】図１７に示すカバン用スライドファスナーの断面図である。
【図１９】図１７に示すカバン用スライドファスナーの側面図である。
【図２０】図１７に示すカバン用スライドファスナーを閉じた状態を説明する表面図である。
【図２１】本発明に係るカバン用スライドファスナーが使用されたスーツケースの一実施形態を説明する斜視図である。
【図２２】本発明に係るファスナーストリンガーが使用された巻取り式スクリーン装置を説明する要部拡大断面図である。
【発明を実施するための形態】
【００１５】
以下、本発明に係るファスナーストリンガー、カバン用スライドファスナー、及びカバンの一実施形態について、図面に基づいて詳細に説明する。なお、以後の説明において、ファスナーテープに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とする。また、スライダーに関しては、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。また、ファスナーテープ及びスライダーの左右方向は幅方向とも言う。また、ファスナーテープの上下方向は長さ方向とも言う。
【００１６】
まず、図１〜図１６を参照して、本発明に係るファスナーストリンガーを使用したスライドファスナーの一実施形態について説明する。
【００１７】
本実施形態のスライドファスナー１０は、図１〜図３に示すように、左右一対のファスナーテープ２０と、左右一対のファスナーテープ２０の対向するテープ側縁部２０ａの表面にそれぞれ設けられ、複数のファスナーエレメント３１を有する左右一対の表側ファスナーエレメント列３０Ａと、左右一対のファスナーテープ２０の対向するテープ側縁部２０ａの裏面にそれぞれ設けられ、複数のファスナーエレメント３１を有する左右一対の裏側ファスナーエレメント列３０Ｂと、を備える左右一対のファスナーストリンガー１１と、左右一対の表側ファスナーエレメント列３０Ａ及び左右一対の裏側ファスナーエレメント列３０Ｂを噛合・分離させるスライダー４０と、左右一対の表側及び裏側ファスナーエレメント列３０Ａ，３０Ｂの下端部に設けられる下止部１２と、左右一対の表側及び裏側ファスナーエレメント列３０Ａ，３０Ｂのそれぞれの上端部に設けられる上止部１３と、を備える。また、下止部１２の代わりに、蝶棒、箱棒、及び箱体からなる開離嵌挿具を設けてもよい。
【００１８】
表側及び裏側ファスナーエレメント列３０Ａ，３０Ｂは、図４〜図８に示すように、合成樹脂製のモノフィラメントを一定方向に巻回すことにより形成されるコイル状のファスナーエレメント列であり、複数のファスナーエレメント３１を有している。そして、表側及び裏側ファスナーエレメント列３０Ａ，３０Ｂは、その内部に芯紐３２が挿通され、二重環縫いされる縫い糸３３によってファスナーテープ２０のテープ側縁部２０ａに縫い付けられる。また、モノフィラメントの合成樹脂材料としては、ポリエステル及びナイロン等を挙げることができる。
【００１９】
ファスナーエレメント３１は、相手方のファスナーエレメント３１と噛合・分離する噛合頭部３１ａと、噛合頭部３１ａの上端部からファスナーテープ２０の幅方向外側に延びる上脚部３１ｂと、噛合頭部３１ａの下端部からファスナーテープ２０の幅方向外側に延び、ファスナーテープ２０と接触する下脚部３１ｃと、上脚部３１ｂの幅方向外端部と隣り合うファスナーエレメント３１の下脚部３１ｃの幅方向外端部とを連結する連結部３１ｄと、を備える。
【００２０】
縫い糸３３は、図４〜図６に示すように、表側ファスナーエレメント列３０Ａをテープ側縁部２０ａの表面に縫い付ける上糸３３ａと、裏側ファスナーエレメント列３０Ｂをテープ側縁部２０ａの裏面に縫い付ける下糸３３ｂと、から構成される。
【００２１】
上糸３３ａは、１本の糸であるが、表側ファスナーエレメント列３０Ａのファスナーエレメント３１の上脚部３１ｂを３回跨ぐため、３本の糸のように見えている。また、下糸３３ｂは２本の糸であり、裏側ファスナーエレメント列３０Ｂのファスナーエレメント３１の上脚部３１ｂを１回跨いでいる。このため、表側ファスナーエレメント列３０Ａ上に上糸３３ａが３本配置され、裏側ファスナーエレメント列３０Ｂ上に下糸３３ｂが２本配置される。従って、表側及び裏側ファスナーエレメント列３０Ａ，３０Ｂのファスナーエレメント３１の上脚部３１ｂを跨ぐ上糸３３ａと下糸３３ｂの本数の違いにより識別手段が構成されるので、スライドファスナー１０（ファスナーストリンガー１１）の表面及び裏面を容易に識別することができる。そして、表側及び裏側ファスナーエレメント列３０Ａ，３０Ｂは、１本の上糸３３ａと２本の下糸３３ｂにより１度の縫着工程でファスナーテープ２０に縫い付けられる。
【００２２】
また、縫い糸３３の上糸３３ａと下糸３３ｂの色を互いに異なるようにしてもよい。この場合、上糸３３ａと下糸３３ｂの色の違いにより識別手段が構成されるので、スライドファスナー１０（ファスナーストリンガー１１）の表面及び裏面を容易に識別することができる。
【００２３】
そして、図４に示すように、表側及び裏側ファスナーエレメント列３０Ａ，３０Ｂのファスナーエレメント３１には、その上脚部３１ｂに、下脚部３１ｃ側にへこむ段差部３１ｅが形成されており、この段差部３１ｅ内に、縫い糸３３の上糸３３ａ及び下糸３３ｂがそれぞれ配置されている。
【００２４】
表側ファスナーエレメント列３０Ａと裏側ファスナーエレメント列３０Ｂは、ファスナーテープ２０の裏側から表側に縫い針を貫通させて二重環縫いによってファスナーテープ２０に縫着される。
表側ファスナーエレメント列３０Ａのファスナーエレメント３１の上脚部３１ｂの段差部３１ｅを固定用糸３５として上糸３３ａを用いて二重環縫いによって芯紐３２を縫着する。裏側ファスナーエレメント列３０Ｂのファスナーエレメント３１の上脚部３１ｂの段差部３１ｅは、二重環縫いの２本のリード糸である下糸３３ｂ，３３ｂによって芯紐３２を縫着する。
裏側ファスナーエレメント列３０Ｂの下糸３３ｂ，３３ｂが摩耗や刃物により切断されると、表側ファスナーエレメント列３０Ａ及び固定用糸３５、上糸３３ａがファスナーテープ２０から離間して、ファスナーテープ２０から表側ファスナーエレメント列３０Ａが外れてしまう。
従って、二重環縫いされた２本のリード糸である下糸３３ｂ，３３ｂによって裏側ファスナーエレメント列３０Ｂを縫い、上糸３３ａによって表側ファスナーエレメント列３０Ａを縫い、ファスナーテープ２０に表側及び裏側ファスナーエレメント列３０Ａ，３０Ｂを縫着することが望ましい。
【００２５】
また、表側及び裏側ファスナーエレメント列３０Ａ，３０Ｂのファスナーエレメント３１の連結部３１ｄは、ファスナーテープ２０の長手方向に対して傾斜するように形成されている。具体的には、図３に示すように、連結部３１ｄは、下脚部３１ｃ側から上脚部３１ｂ側に向かうに従ってファスナーテープ２０から離れる方向に傾斜しており、側面視において、ファスナーテープ２０の表裏両側で略ハの字状に配置されている。なお、この略ハの字状の配置は、１本の長いコイルエレメントを切断し、表側及び裏側ファスナーエレメント列３０Ａ，３０Ｂの段差部３１ｅがある方をファスナーテープ２０と反対側に配置し、ファスナーテープ２０の両面に縫着するため、必然的に、略ハの字状の配置となる。このため、ファスナーエレメント列３０Ａ，３０Ｂの製造効率、及びファスナーエレメント列３０Ａ，３０Ｂのファスナーテープ２０への組み付け性を向上することができる。
【００２６】
スライダー４０は、図１〜図３に示すように、離間して平行配置される上翼板４１及び下翼板４２と、上翼板４１及び下翼板４２を前端部において連結する案内柱４３と、上翼板４１の左右両側縁に沿って設けられ、下翼板４２に向けて突出して形成される左右一対の上フランジ４４ａと、下翼板４２の左右両側縁に沿って設けられ、上翼板４１に向けて突出して形成される左右一対の下フランジ４４ｂと、上翼板４１の上面に設けられる引手取付部４５と、引手取付部４５に回動自在に取り付けられる引手４６と、を備える。そして、スライダー４０を上方（上止部１３に接近する方向）に移動すると、分離状態の左右一対の表側及び裏側ファスナーエレメント列３０Ａ，３０Ｂがそれぞれ噛合し、下方（下止部１２に接近する方向）に移動すると、噛合状態の左右一対の表側及び裏側ファスナーエレメント列３０Ａ，３０Ｂがそれぞれ分離する。なお、スライダー４０は、自動停止機能付きのスライダーであってもよい。
【００２７】
以上説明したように、本実施形態のスライドファスナー１０によれば、ファスナーテープ２０と、ファスナーテープ２０のテープ側縁部２０ａの表面に設けられる表側ファスナーエレメント列３０Ａと、ファスナーテープ２０のテープ側縁部２０ａの裏面に設けられる裏側ファスナーエレメント列３０Ｂと、を備えるため、先の鋭い金属によるファスナーエレメント３１の破損を防止することができる。
【００２８】
また、本実施形態のスライドファスナー１０によれば、表側及び裏側ファスナーエレメント列３０Ａ，３０Ｂのファスナーエレメント３１の上脚部３１ｂに、下脚部３１ｃ側にへこむ段差部３１ｅが設けられ、表側及び裏側ファスナーエレメント列３０Ａ，３０Ｂをファスナーテープ２０に縫い付ける縫い糸３３の上糸３３ａ及び下糸３３ｂが、その段差部３１ｅ内にそれぞれ配置されるため、縫い糸３３の摩耗を防止することができる。
【００２９】
また、本実施形態のスライドファスナー１０によれば、１枚のファスナーテープ２０のテープ側縁部２０ａの表面及び裏面に、表側及び裏側ファスナーエレメント列３０Ａ，３０Ｂをそれぞれ設けるため、従来のように２枚のスライドファスナーをオフセットさせて位置決めする必要がなく、スライドファスナー１０を被着物に容易に取り付けることができる。
【００３０】
また、本実施形態のスライドファスナー１０によれば、スライドファスナー１０（ファスナーストリンガー１１）の表面と裏面を識別する識別手段を備え、この識別手段が、表側及び裏側ファスナーエレメント列３０Ａ，３０Ｂのファスナーエレメント３１の上脚部３１ｂを跨ぐ縫い糸３３の本数の違い、又は、縫い糸３３の色の違いであるため、スライドファスナー１０（ファスナーストリンガー１１）の表面と裏面を容易に識別することができ、スライドファスナー１０を被着物に容易に取り付けることができる。
【００３１】
なお、本実施形態のファスナーストリンガーの第１変形例として、図９に示すように、表側及び裏側ファスナーエレメント列３０Ａ，３０Ｂが縫着された後のファスナーテープ２０の表面に、識別手段であるシート部材２１を設けて、スライドファスナー１０（ファスナーストリンガー１１）の表面と裏面を識別してもよい。シート部材２１は、例えば、耐水性、防水性、及び撥水性を有するフィルムであり、熱溶着や接着層によりファスナーテープ２０に取り付けられる。さらに、シート部材２１は、ブランドロゴ、マーク、文字、模様、及び色彩などが施された装飾フィルムであってもよい。なお、シート部材２１は、ファスナーテープ２０の裏面に設けられていてもよい。また、ファスナーテープ２０の表面に、耐水性、防水性、及び撥水性を有するコーティングを施してもよい。さらに、ファスナーテープ２０の表面に、ブランドロゴ、マーク、文字、模様、及び色彩などをインクジェットによりプリントして、透明フィルムを設けるようにしてもよい。
【００３２】
また、本実施形態のファスナーストリンガーの第２変形例として、図１０に示すように、表側及び裏側ファスナーエレメント列３０Ａ，３０Ｂが縫着される前のファスナーテープ２０の表面の全面に、識別手段であるシート部材２１を設けて、スライドファスナー１０（ファスナーストリンガー１１）の表面と裏面を識別してもよい。なお、シート部材２１は、ファスナーテープ２０の裏面の全面に設けられていてもよい。
【００３３】
また、本実施形態のファスナーストリンガーの第３変形例として、図１１に示すように、表側ファスナーエレメント列３０Ａのファスナーエレメント３１に、識別手段であるメッキ層３４を施して、スライドファスナー１０（ファスナーストリンガー１１）の表面と裏面を識別してもよい。なお、メッキ層３４は、裏側ファスナーエレメント列３０Ｂのファスナーエレメント３１に施してもよい。また、メッキ層３４は、表側及び裏側ファスナーエレメント列３０Ａ，３０Ｂがファスナーテープ２０に縫着される前に施される。
【００３４】
また、本実施形態のファスナーストリンガーの第４変形例として、図１２に示すように、表側ファスナーエレメント列３０Ａのファスナーエレメント３１に段差部３１ｅを形成して、裏側ファスナーエレメント列３０Ｂのファスナーエレメント３１に段差部３１ｅを形成しないようにしてもよい。このため、表側及び裏側ファスナーエレメント列３０Ａ，３０Ｂの形状の違いにより、スライドファスナー１０（ファスナーストリンガー１１）の表面と裏面を識別することができる。
【００３５】
また、本実施形態のファスナーストリンガーの第５変形例として、図１３に示すように、左右のファスナーテープ２０の表面に、識別手段である円形のマーク２２をインクにより塗布して、スライドファスナー１０（ファスナーストリンガー１１）の表面と裏面を識別してもよい。また、マーク２２は、ファスナーテープ２０の長手方向に沿って略等間隔に設けられる。
【００３６】
また、本実施形態のファスナーストリンガーの第６変形例として、図１４に示すように、左右のファスナーテープ２０の裏面に、識別手段である円形のマーク２２をインクにより塗布して、スライドファスナー１０（ファスナーストリンガー１１）の表面と裏面を識別してもよい。
【００３７】
また、本実施形態のファスナーストリンガーの第７変形例として、図１５に示すように、一方（図１５の左側）のファスナーテープ２０の表面に、識別手段である円形のマーク２２をインクにより塗布して、スライドファスナー１０（ファスナーストリンガー１１）の表面と裏面を識別してもよい。なお、マーク２２は、他方（図１５の右側）のファスナーテープ２０の表面に設けられてもよい。
【００３８】
また、本実施形態のファスナーストリンガーの第８変形例として、図１６に示すように、一方（図１６の右側）のファスナーテープ２０の裏面に、識別手段である円形のマーク２２をインクにより塗布して、スライドファスナー１０（ファスナーストリンガー１１）の表面と裏面を識別してもよい。なお、マーク２２は、他方（図１６の左側）のファスナーテープ２０の裏面に設けられてもよい。
【００３９】
次に、図１７〜図２０を参照して、本発明に係るカバン用スライドファスナーの一実施形態について説明する。なお、上記スライドファスナーの一実施形態と同一又は同等部分については、図面に同一符号を付してその説明を省略或いは簡略化する。
【００４０】
本実施形態のカバン用スライドファスナー５０は、図１７〜図１９に示すように、左右一対のファスナーテープ２０と、左右一対のファスナーテープ２０の対向するテープ側縁部２０ａの表面にそれぞれ設けられ、複数のファスナーエレメント３１を有する左右一対の表側ファスナーエレメント列３０Ａと、左右一対のファスナーテープ２０の対向するテープ側縁部２０ａの裏面にそれぞれ設けられ、複数のファスナーエレメント３１を有する左右一対の裏側ファスナーエレメント列３０Ｂと、を備える左右一対のファスナーストリンガー１１と、左右一対の表側ファスナーエレメント列３０Ａ及び左右一対の裏側ファスナーエレメント列３０Ｂを噛合・分離させる一対のスライダー６０と、左右一対の表側及び裏側ファスナーエレメント列３０Ａ，３０Ｂの両端部にそれぞれ設けられる不図示の止部と、を備える。
【００４１】
一対のスライダー６０は、それぞれの案内柱４３が互いに対向するように配置されており、一対のスライダー６０を互いに接近させると、分離状態の左右一対の表側及び裏側ファスナーエレメント列３０Ａ，３０Ｂがそれぞれ噛合し、一対のスライダー６０を互いに離間させると、噛合状態の左右一対の表側及び裏側ファスナーエレメント列３０Ａ，３０Ｂがそれぞれ分離する。
【００４２】
また、一対のスライダー６０の引手取付部４５には、一対のスライダー６０を互いに当接させた状態（図２０参照）において、スライダー６０の左右方向で互いに重なり合う突片４７が、スライダー６０の前端部よりも前方に突出してそれぞれ形成されている。そして、この重なり合う突片４７，４７には、スライダー６０の左右方向に貫通する鍵用孔部４８がそれぞれ形成されている。
その他の構成及び作用効果については、上記スライドファスナー１０と同様である。
【００４３】
そして、上記したカバン用スライドファスナー５０は、図２１に示すように、例えば、旅行カバンであるスーツケース７０の開口部７１を開閉するスライドファスナーに使用されている。
【００４４】
また、上記したファスナーストリンガー１１は、１本で使用されてもよく、例えば、特許第３８４１７６５号公報や実用新案登録第２５２７３３０号公報に記載の巻取り式スクリーン装置の布部の両端縁に取り付けられていてもよい。この場合、図２２に示すように、ファスナーストリンガー１１の表側及び裏側ファスナーエレメント列３０Ａ，３０Ｂは、スクリーン装置のスクリーンガイド８１のスリット８２の内縁に抜け止め状態で係合されており、スクリーンガイド８１に沿ってガイドされる。
【００４５】
なお、本発明は上記各実施形態に例示したものに限定されるものではなく、本発明の要旨を逸脱しない範囲において適宜変更可能である。
【符号の説明】
【００４６】
１０    スライドファスナー
１１    ファスナーストリンガー
２０    ファスナーテープ
２０ａ  テープ側縁部
２１    シート部材（識別手段）
２２    マーク（インク、識別手段）
３０Ａ  表側ファスナーエレメント列（第１ファスナーエレメント列）
３０Ｂ  裏側ファスナーエレメント列（第２ファスナーエレメント列）
３１    ファスナーエレメント
３１ａ  噛合頭部
３１ｂ  上脚部
３１ｃ  下脚部
３１ｄ  連結部
３１ｅ  段差部
３３    縫い糸（識別手段）
３３ａ  上糸（識別手段）
３３ｂ  下糸（識別手段）
３４    メッキ層（識別手段）
４０    スライダー
４５    引手取付部
４８    鍵用孔部
５０    カバン用スライドファスナー
６０    スライダー
７０    スーツケース（カバン）
【図１】
0006047285.tif 000002
【図２】
0006047285.tif 000003
【図３】
0006047285.tif 000004
【図４】
0006047285.tif 000005
【図５】
0006047285.tif 000006
【図６】
0006047285.tif 000007
【図７】
0006047285.tif 000008
【図８】
0006047285.tif 000009
【図９】
0006047285.tif 000010
【図１０】
0006047285.tif 000011
【図１１】
0006047285.tif 000012
【図１２】
0006047285.tif 000013
【図１３】
0006047285.tif 000014
【図１４】
0006047285.tif 000015
【図１５】
0006047285.tif 000016
【図１６】
0006047285.tif 000017
【図１７】
0006047285.tif 000018
【図１８】
0006047285.tif 000019
【図１９】
0006047285.tif 000020
【図２０】
0006047285.tif 000021
【図２１】
0006047285.tif 000022
【図２２】
0006047285.tif 000023